(57)【要約】  空気調和機（１０）は、空気調和機（１０）の室内機（１１）が設置された室内を撮像する撮像部（２１）と、空気調和機（１０）の空調制御を行う空調制御部（２４）と、撮像部（２１）が撮像した室内画像と、室内における実際の気流の情報であり気流の強さを含む実気流情報と、空調制御部（２４）によって自動的に実施される特殊運転制御による制御状態であることを示す特殊運転制御情報と、を表示する表示部（３５）と、を備える。
2018220820.tif 000002
【特許請求の範囲】
【請求項１】
空気調和機の室内機が設置された室内を撮像する撮像部と、
前記空気調和機の空調制御を行う空調制御部と、
前記撮像部が撮像した室内画像と、前記室内における実際の気流の情報であり気流の強さを含む実気流情報と、前記空調制御部によって自動的に実施される特殊運転制御による制御状態であることを示す特殊運転制御情報と、を表示する表示部と、
を備えることを特徴とする空気調和機。
【請求項２】
少なくとも前記室内画像と、前記実気流情報と、前記特殊運転制御情報と、を合成する画像処理を行って合成画像情報を生成する画像処理部を備え、
前記表示部は、前記合成画像情報を表示すること、
を特徴とする請求項１に記載の空気調和機。
【請求項３】
前記表示部が、前記空気調和機に設定された前記室内機が室内に吹き出す気流の情報であり気流の強さを含む設定気流情報をさらに表示すること、
を特徴とする請求項２に記載の空気調和機。
【請求項４】
前記画像処理部は、前記室内画像と、前記実気流情報と、前記設定気流情報と、前記特殊運転制御情報と、を合成する画像処理を行って前記合成画像情報を生成すること、
を特徴とする請求項３に記載の空気調和機。
【請求項５】
前記表示部が、前記特殊運転制御が終了する目安時刻の情報である終了目安時刻情報をさらに表示すること、
を特徴とする請求項３に記載の空気調和機。
【請求項６】
前記画像処理部は、前記室内画像と、前記実気流情報と、前記設定気流情報と、前記特殊運転制御情報と、前記終了目安時刻情報と、を合成する画像処理を行って前記合成画像情報を生成すること、
を特徴とする請求項５に記載の空気調和機。
【請求項７】
前記空気調和機の空調設定をする操作部を備え、
前記操作部は、タッチパネル方式の前記表示部を備え、
前記画像処理部から送信される前記合成画像情報が表示された前記表示部に触れることで空調設定が変更され、
前記空調制御部は、前記表示部で変更された空調設定に基づいて前記空気調和機の空調制御を行うこと、
を特徴とする請求項２から６のいずれか１つに記載の空気調和機。
【請求項８】
前記操作部および前記表示部は、操作端末に設けられていること、
を特徴とする請求項７に記載の空気調和機。
【請求項９】
請求項８に記載の空気調和機と、
前記室内機および前記操作端末と通信可能な外部サーバーと、
を備え、
前記操作端末が宅外から前記外部サーバーと通信可能であること、
を特徴とする空気調和機システム。
【発明の詳細な説明】
【技術分野】
【０００１】
本発明は、空気調和機の運転に関する情報を表示する表示部を有する空気調和機およびこの空気調和機を備えた空気調和機システムに関する。
【背景技術】
【０００２】
空気調和機には、一般的に空気調和機の運転に関する情報を表示する表示部を備えている。このような空気調和機として、特許文献１には、空気調和機が設置された室内を撮像する撮像部と、撮像部が撮像した画像と室内の気流情報とを合成する画像処理を行う画像処理部と、画像処理部により画像処理をされ、気流情報を画像として含む画像情報を表示する表示部と、を備え、気流情報は、室内の気流の強さを少なくとも含む空気調和機が開示されている。【０００３】
一方、一般的に、空気調和機は、冷房時の露付き防止制御、暖房運転開始時の冷風防止制御、室外機熱交換器の除霜制御といった、空気調和機の運転を適切な状態としてユーザーにとって快適な運転を実施するための空気調和機の運転制御である特殊運転制御機能を備えている。空気調和機は、特殊運転制御による運転を実施することで、ユーザーにとって快適な運転を、正常な状態で維持することができる。
【先行技術文献】
【特許文献】
【０００４】
【特許文献１】特許第５４８４２０５号公報
【発明の概要】
【発明が解決しようとする課題】
【０００５】
しかしながら、上記特許文献１の空気調和機システムでは、表示部に表示されている気流の強さが、空気調和機の特殊運転制御によって一時的に設定されている気流の強さであるのか、またはユーザーが設定した気流の強さであるのか、が判別できなかった。このため、空気調和機の特殊運転制御中にユーザーが空気調和運転の設定を変更する操作を行った場合は、室内機から吹き出される気流の強さが、かえってユーザーに不快感を与えてしまうおそれがあった。【０００６】
本発明は、上記に鑑みてなされたものであって、表示部に表示されている気流の情報が何によってもたらされているかを把握可能な空気調和機を得ることを目的とする。
【課題を解決するための手段】
【０００７】
上述した課題を解決し、目的を達成するために、本発明にかかる空気調和機は、空気調和機の室内機が設置された室内を撮像する撮像部と、空気調和機の空調制御を行う空調制御部と、撮像部が撮像した室内画像と、室内における実際の気流の情報であり気流の強さを含む実気流情報と、空調制御部によって自動的に実施される特殊運転制御による制御状態であることを示す特殊運転制御情報と、を表示する表示部と、を備える。
【発明の効果】
【０００８】
本発明にかかる空気調和機は、表示部に表示されている気流の情報が何によってもたらされているかを把握可能である、という効果を奏する。
【図面の簡単な説明】
【０００９】
【図１】本発明の実施の形態１にかかる空気調和機の構成を模式的に示す構成図
【図２】本発明の実施の形態１にかかる空気調和機の主な機能構成を示す機能ブロック図
【図３】本発明の実施の形態１にかかる空気調和機における室内機の外観を示す正面図
【図４】本発明の実施の形態１にかかる空気調和機における室内機の空調変更時の様子を模式的に示す正面図
【図５】本発明の実施の形態１にかかる処理回路のハードウェア構成の一例を示す図
【図６】本発明の実施の形態１にかかる操作端末の画像処理部の動作を示すフローチャート
【図７】本発明の実施の形態１にかかる操作端末における表示部に室内の画像と気流情報と特殊運転制御情報とを合成した合成画像を表示した図
【図８】本発明の実施の形態１にかかる操作端末の表示部における気流の設定の変更方法の一例を示す図
【図９】本発明の実施の形態２にかかる空気調和機システムの構成を示す構成図
【図１０】本発明の実施の形態２にかかる空気調和機システムにおける外部サーバーの主な機能構成を示す機能ブロック図
【図１１】本発明の実施の形態２にかかる空気調和機システムにおける室内機の主な機能構成を示す機能ブロック図
【図１２】本発明の実施の形態２にかかる空気調和機システムにおける操作端末の主な機能構成を示す機能ブロック図
【図１３】本発明の実施の形態３にかかる空気調和機の室内機の主な機能構成を示す機能ブロック図
【図１４】本発明の実施の形態３におけるタッチパネル式の表示部に、気流情報と室内の画像の情報と特殊運転制御情報と終了目安時刻情報とが合成された合成画像情報が表示されている状態を示す図
【発明を実施するための形態】
【００１０】
以下に、本発明の実施の形態にかかる空気調和機および空気調和機システムを図面に基づいて詳細に説明する。なお、この実施の形態によりこの発明が限定されるものではない。
【００１１】
実施の形態１．
図１は、本発明の実施の形態１にかかる空気調和機１０の構成を模式的に示す構成図である。図２は、本発明の実施の形態１にかかる空気調和機１０の主な機能構成を示す機能ブロック図である。図２においては、空気調和機１０の構成のうち、室内機１１と操作端末１４とについて示している。
【００１２】
図１に示すように、本実施の形態１にかかる空気調和機１０は、室内に設置された室内機１１、室外に設置された室外機１２、室内機１１と室外機１２との間で冷媒を循環させるための冷媒管１３、および空気調和機１０に対する制御指示命令を室内機１１に送信する操作端末１４を備える。室外機１２は、図示しない通信線を介して室内機１１と通信可能とされている。
【００１３】
空気調和機１０は、一つの完結した冷凍サイクルを室内機１１と室外機１２とで形成している。空気調和機１０は、冷媒管１３を通って室内機１１と室外機１２との間を循環する冷媒を使用して、空調対象空間である室内の空気と室外の空気との間で熱移動を行い、室内に対する空気調和を実現している。すなわち、室内機１１と室外機１２とは冷媒管１３により接続されており、冷媒管１３中を流れる冷媒の圧力を室外機１２の備える圧縮機により変化させて冷媒の吸熱、放熱により空気調和を行う。
【００１４】
室内機１１は、撮像部２１、室内機画像処理部２２、室内機通信部２３、空調制御部２４、空調変更部２５および特殊運転制御決定部２６を備えている。また、操作端末１４は、操作部３１、操作端末制御部３２、操作端末通信部３３、操作端末画像処理部３４および表示部３５を備えている。
【００１５】
以下、空気調和機１０のそれぞれの構成部について詳細に説明する。まず、室内機１１の構成部について説明する。図３は、本発明の実施の形態１にかかる空気調和機１０における室内機１１の外観を示す正面図である。図４は、本発明の実施の形態１にかかる空気調和機１０における室内機１１の空調変更時の様子を模式的に示した正面図である。室内機１１は、前面に、撮像部２１、室内機通信部２３、および空調変更部２５を備えている。
【００１６】
撮像部２１は、室内全体を撮像するものであり、室内における広域を撮像できることが好ましい。撮像部２１は、広域の撮像ができるものであれば、室内における広域の画像を一度に取得できる。しかし、撮像部２１は、視野が広角である場合は、レンズが高価になることが多い。一方、撮像部２１に安価なレンズを使用する場合には、撮像画像の周辺部が歪んだり暗くなったりすることがある。
【００１７】
また、視野が広くないレンズを用いた撮像部２１を使用し、撮像部２１を可動式にして室内における広域を撮像するようにしてもよい。視野が広くない撮像部２１を可動式にする場合は、撮像範囲を鮮明に撮像できる反面、室内全体を一度に撮像できないため、室内全体のリアルタイムな画像を取得できない。また、視野が広くない撮像部２１を可動式にする場合は、撮像範囲を考慮し、可動範囲を決めて動作させる必要がある。
【００１８】
ここで、一般に空気調和機の室内機が設置される位置は、室内空間において天井に近い上部領域であることが多い。そして、撮像部２１が撮像する対象は、室内機１１よりも鉛直方向において下方に位置している。このため、撮像部２１は、室内全体を撮像するために、図３および図４に示すように室内機１１の前面に配置されて、撮像方向を水平よりも下向きになるように搭載されることが好ましい。これにより、撮像部２１は、撮像対象を最も鮮明に撮像できる画像中央に配置し易くなるため、撮像対象を鮮明に撮像することができる。
【００１９】
なお、撮像部２１に設けられる撮像素子は、相補型金属酸化膜半導体（Ｃｏｍｐｌｅｍｅｎｔａｒｙ  Ｍｅｔａｌ  Ｏｘｉｄｅ  Ｓｅｍｉｃｏｎｄｕｃｔｏｒ：ＣＭＯＳ）センサー、または電荷結合素子（Ｃｈａｒｇｅ  Ｃｏｕｐｌｅｄ  Ｄｅｖｉｃｅ：ＣＣＤ）といったセンサーが挙げられる。なお、撮像部２１に設けられる撮像素子は、これらに限定されず、室内を撮像できるものであればよい。一般にＣＣＤセンサーは、消費電力が大きく価格も高いが、感度が良いことから多く使用されていた。一方、ＣＭＯＳセンサーは、低消費電力でＣＣＤセンサーに比べて低価格だが、感度が低かった。しかし、ＣＭＯＳセンサーは、近年の技術進化によりＣＣＤセンサーと同等の感度を得ることができており、入力される各画素の情報を抽出できるため、多くの製品に導入されている特徴がある。
【００２０】
室内機画像処理部２２は、撮像部２１が撮像した室内の撮像データを操作端末１４の表示部３５で表示させるための画像処理を行う。室内機画像処理部２２は、画像処理された室内画像の情報を、室内機通信部２３を介して操作端末１４に送信する。また、室内機画像処理部２２は、撮像部２１が撮像した画像から室内環境を把握するために必要な情報を検出する画像処理を行う。
【００２１】
室内機画像処理部２２は、図示しないセンサから空調制御部２４に入力された情報を含む、空調制御部２４における空調制御に用いられる制御情報を、空調制御部２４から取得することができる。これにより、室内機画像処理部２２は、空調制御部２４から取得した制御情報に基づいて、室内機画像処理部２２において室内機１１から室内に吹き出されている実際の気流の気流情報である実気流情報を生成できる。室内機画像処理部２２は、生成した実気流情報を室内機通信部２３を介して操作端末１４に送信する。
【００２２】
気流情報とは、例えば、室内における気流の強さおよび気流の方向といった、室内における気流の状態に関する情報であり、少なくとも気流の強さを含むものである。したがって、実際の気流の実気流情報は、実際に室内機１１から室内に吹き出している気流の状態に関する情報である。
【００２３】
また、室内機画像処理部２２は、撮像部２１が撮像した画像情報を取得し、その画像情報の輝度情報を抽出する。そして、室内機画像処理部２２は、輝度情報を用いて、画像の中から必要とする情報、例えば室内機１１が設置された室内に存在する人物を特定し、その人物の位置および体勢を特定する。
【００２４】
室内機通信部２３は、操作端末１４の操作端末通信部３３から送信された情報を受信して空調制御部２４に送信し、また室内機画像処理部２２から送信された情報および空調制御部２４から送信された情報を操作端末通信部３３へ送信する。なお、室内機通信部２３は、操作端末１４に搭載された操作端末通信部３３と互いに通信できるものであればよく、通信方法は問わない。室内機通信部２３と操作端末通信部３３との通信方法の例としては、赤外線通信および無線通信が例示される。
【００２５】
例えば、室内機通信部２３と操作端末通信部３３との通信方法が赤外線通信である場合には、波長が７５０ｎｍから１０００ｎｍ程度の近赤外帯域の赤外線通信が利用される。近赤外光は、室内の壁を透過できないため、送信側である発光部から発光された赤外光が受信側である受光部に届くように同一の部屋で使用され、近距離通信であることが多い。また、赤外線通信は、通信速度が遅い反面、発光の部材と受光の部材とが簡素で安価に構成される特徴がある。
【００２６】
一方、無線通信については、無線ＬＡＮ（Ｌｏｃａｌ  Ａｒｅａ  Ｎｅｔｗｏｒｋ）通信、特定小電力通信など様々な規格がある。本実施の形態１において室内機通信部２３と操作端末通信部３３との通信方法に用いる無線方式の種類に限定はない。無線ＬＡＮは、世界共通で使用できる２．４ＧＨｚの帯域の通信であり、パーソナルコンピュータをはじめ広く使用されている規格であり、汎用性があり高速で通信できる。しかし、無線ＬＡＮは、消費電力が大きく通信距離も比較的短いという特徴があるので、世界共通で使用できる半面、電波が混雑して干渉することで電波障害が発生する可能性も有している。
【００２７】
また、特定小電力通信は、使用できる周波数帯域が国ごとに規制されており、汎用性は無線ＬＡＮに比べて劣り、通信速度も遅い。しかし、特定小電力通信は、例えば日本で使用する場合は、使用する周波数帯が９００ＭＨｚまたは４００ＭＨｚといった周波数帯であり、無線ＬＡＮよりも周波数帯が低いため通信距離が長いという特徴がある。
【００２８】
なお、一般には、高速通信を必要とする用途では無線ＬＡＮが使用され、速度よりも距離を優先する用途では特定小電力通信を使用することが多い。
【００２９】
空調制御部２４は、操作端末１４から受信した指示情報、およびあらかじめ空調制御部２４に記憶している情報といった、空気調和機１０の運転に関する各種情報に基づいて空気調和機１０の動作を制御する。すなわち、空調制御部２４は、室内機通信部２３から受信した操作端末１４の操作情報、室内機画像処理部２２から送信される画像情報、または特殊運転制御決定部２６から送信される特殊運転制御情報に基づいて、室内機１１から室内に吹き出す気流の温度、室内機１１から室内に吹き出す気流の強さおよび方向といった空気調和運転の設定を制御し、空気調和機１０の動作を制御する。
【００３０】
特殊運転制御情報は、空気調和機１０が、空気調和機１０の運転を適切な状態としてユーザーにとって快適な運転を実施するための特殊運転制御による制御状態であることを示す情報である。特殊運転制御は、ユーザーの設定に因らず、特殊運転制御決定部２６の決定によって空気調和機１０において自動的に実施される運転制御である。特殊運転制御は、冷房時に室内機１１に露が付着することを防止する運転制御である冷房時の露付き防止制御、暖房運転開始時に室内機１１から室内に冷風が吹き出されることを防止する制御である暖房運転開始時の冷風防止制御、冬季に室外機１２の熱交換器に付着した霜を除去する運転制御である室外機熱交換器の除霜制御が例示される。
【００３１】
そして、特殊運転制御情報には、空気調和機１０が、冷房時の露付き防止制御中であることを示す情報、暖房運転開始時の冷風防止制御中であることを示す情報、または室外機熱交換器の除霜制御中であることを示す文字情報が例示される。また、特殊運転制御情報には、実気流情報を示す画像情報が含まれる。
【００３２】
また、空調制御部２４は、特殊運転制御中にユーザーが気流の設定を変更した場合には、ユーザーが気流の設定を変更した時点では実際に室内機１１から室内に吹き出す気流を変更する制御は行わず、特殊運転制御が終了次第、実際の気流を変更する制御を行う。
【００３３】
空調制御部２４は、ユーザーの設定した空気調和機１０の運転に関する各種情報に従って通常の運転を行う制御モードである通常モードでの運転の他に、冷房時の露付き防止制御、暖房運転開始時の冷風防止制御、室外機熱交換器の除霜制御といった、空気調和機１０の機能または性能を正常な状態とするための空気調和機の運転制御である特殊運転制御機能の制御モードの制御を行う。空気調和機１０は、空調制御部２４が特殊運転制御機能による運転モードを実施することで、ユーザーにとって快適な運転を、正常な状態で維持することができる。
【００３４】
空調変更部２５は、空調制御部２４からの指令に基づいて、室内機１１から室内に吹き出す気流の状態を変更して空気調和運転の変更を行う。空調変更部２５は、室内機１１から室内に吹き出す気流の鉛直方向における風向きを変更するルーバーを有する第１風向変更部２５ａおよび第２風向変更部２５ｂと、室内機１１から室内に吹き出す気流の水平方向における風向きを変更するルーバーを有する第３風向変更部２５ｃと、気流の強さを変更する図示しないファンのモーターと、気流の温度を変更する図示しない熱交換器とを備えている。第３風向変更部２５ｃは、空調変更部２５において第１風向変更部２５ａおよび第２風向変更部２５ｂよりも内部側に設けられている。空調変更部２５は、空調制御部２４からの指令に基づいて、第１風向変更部２５ａ、第２風向変更部２５ｂ、第３風向変更部２５ｃ、ファンのモーター、および熱交換器を動作させて、空気調和運転の変更を行う。
【００３５】
例えば、室内機１１から室内に吹き出す気流を上向きに変更する場合、空調制御部２４は、空調変更部２５の第１風向変更部２５ａおよび第２風向変更部２５ｂの向きを変更させて、風向を下向きから上向きに変更させる制御を行えばよい。また、例えば室内に２人の人が在室しており、２人の各々が希望する空調設定が異なる場合は、空調制御部２４は、図４に示すように第１風向変更部２５ａと第２風向変更部２５ｂとを独立して可動させる制御を行えばよい。ここで、図４において、第１風向変更部２５ａについては室内機１１から室内に吹き出す気流の風向を下向きにした様子を示しており、第２風向変更部２５ｂについては室内機１１から室内に吹き出す気流風向を上向きにした様子を示している。また、第３風向変更部２５ｃは左右に風向を変更できるものであり、例えば複数のフィンで構成されている。
【００３６】
また、室内機１１から室内に吹き出す気流の強さは、空調変更部２５に設けられたファンのモーターの回転数を調整することで変更する。また、室内機１１から室内に吹き出す気流の温度は、空調変更部２５に設けられた熱交換器の冷媒の温度を変更することで変更する。
【００３７】
特殊運転制御決定部２６は、室内機１１および室外機１２に設けられた温度センサーの情報を取得して、取得した情報に基づいて特殊運転制御を実施するか否かを決定する。特殊運転制御決定部２６は、特殊運転制御を実施すると決定した場合には、特殊運転制御の実施を指示する特殊運転制御指示情報とともに、実施する特殊運転制御に対応する特殊運転制御情報を空調制御部２４に送信する。特殊運転制御決定部２６は、取得した情報に基づいて特殊運転制御を実施するか否かを決定するための温度閾値条件、および特殊運転制御情報をあらかじめ記憶している。
【００３８】
また、空調制御部２４は、例えば、図５に示したハードウェア構成の処理回路として実現される。図５は、本発明の実施の形態１にかかる処理回路のハードウェア構成の一例を示す図である。空調制御部２４が図５に示す処理回路により実現される場合、空調制御部２４は、例えば、図５に示すメモリ１０２に記憶されたプログラムをプロセッサ１０１が実行することにより、実現される。また、複数のプロセッサおよび複数のメモリが連携して上記機能を実現してもよい。また、空調制御部２４の機能のうちの一部を電子回路として実装し、他の部分をプロセッサ１０１およびメモリ１０２を用いて実現するようにしてもよい。
【００３９】
また、室内機通信部２３、室内機画像処理部２２および特殊運転制御決定部２６のうちの１つ以上を、同様にメモリ１０２に記憶されたプログラムをプロセッサ１０１が実行することにより、実現されるように構成してもよい。また、室内機通信部２３、室内機画像処理部２２および特殊運転制御決定部２６のうちの１つ以上を実現するためのプロセッサおよびメモリは、空調制御部２４を実現するプロセッサおよびメモリと同一であってもよいし、別のプロセッサおよびメモリであってもよい。
【００４０】
つぎに、操作端末１４の構成部について説明する。図２に示すように、操作端末１４は、操作端末制御部３２、操作部３１、操作端末通信部３３、操作端末画像処理部３４および表示部３５を備えている。なお、本実施の形態１において示す操作端末１４は、操作端末１４とは別体のリモートコントローラーであるが、操作端末１４の機能が室内機１１に設けられていてもよい。また、操作端末１４の機能のうち表示部３５の機能のみが室内機１１に設けられていてもよい。すなわち、上記のいずれの形態であっても、空気調和機１０が操作端末１４の機能を備えて空気調和機１０の操作を行えればよい。
【００４１】
操作端末制御部３２は、操作端末通信部３３から受信した指示情報に基づいて操作端末１４の動作を制御する。操作端末制御部３２は、操作部３１から受信した情報および空気調和機１０の運転に必要な指示情報を、操作端末通信部３３を介して室内機１１の室内機通信部２３に送信する。また、操作端末制御部３２は、各種情報を表示部３５に表示させる制御を行う。また、操作端末制御部３２は、時計機能を有しており、日付および時刻といった情報を管理している。
【００４２】
操作部３１は、ユーザーの要求する空調設定の設定操作を受け付ける。すなわち、操作部３１は、空気調和機１０の運転を遠隔制御するためのインタフェースであり、ユーザーから空気調和機１０の運転についての指示であり空気調和機１０の運転を設定する運転設定情報を受け付ける。操作部３１では、空気調和機１０の運転開始、空気調和機１０の運転停止、空気調和機１０の運転モードの選択、設定温度の変更、設定湿度の変更、風量の設定、風向の設定、操作禁止事項の設定変更といった、空気調和機１０における空調運転に係わる様々な機能をユーザーが任意に選択できるように構成されている。また、操作部３１は、日付および時刻といった情報も設定することができる。操作部３１は、受け付けた各種情報を操作端末制御部３２および操作端末画像処理部３４に送信する。なお、操作部３１が、受け付けた各種情報を、操作端末制御部３２を介さずに操作端末通信部３３に送信する構成としてもよい。
【００４３】
操作端末通信部３３は、空気調和機１０の運転を遠隔制御するための指示情報を操作端末制御部３２から受信する。操作端末通信部３３は、操作端末制御部３２から受信した指示情報を室内機１１の室内機通信部２３に送信する。また、操作端末通信部３３は、室内機１１の室内機通信部２３から各種情報を受信する。操作端末通信部３３は、受信した情報を操作端末制御部３２に送信する。なお、操作端末通信部３３は、室内機１１に搭載された室内機通信部２３と互いに通信できるものであればよく、通信方法は問わない。
【００４４】
操作端末画像処理部３４は、操作部３１が受け付けた運転設定情報、すなわちユーザーからの空気調和機１０の運転についての指示情報を受信する。
【００４５】
操作端末画像処理部３４は、気流情報と、操作端末通信部３３が室内機１１から受信した室内画像の情報と特殊運転制御情報とを合成する合成処理を行って、気流情報と室内画像の情報と特殊運転制御情報とが合成された合成画像情報を生成する画像処理部である。合成画像情報は、気流情報と、室内画像と、特殊運転制御情報とを表示部３５に表示するための画像データである。気流情報には、室内における実際の気流の情報であり気流の強さを含む実気流情報と、操作部３１が受け付けた運転設定情報に含まれる、ユーザーによって空気調和機１０に設定された気流の情報であり気流の強さを含む設定気流情報と、が含まれる。
【００４６】
操作端末画像処理部３４は、少なくとも室内画像と、実気流情報と、特殊運転制御情報とを合成する画像処理を行って、室内画像と他の情報とが合成された合成画像情報を生成することができる。また、操作端末画像処理部３４は、室内画像と、実気流情報と、設定気流情報と、特殊運転制御情報とを合成する画像処理を行って、室内画像と他の情報とが合成された合成画像情報を生成することができる。
【００４７】
表示部３５は、操作端末画像処理部３４で処理された画像を含む、空気調和機１０の運転に関する各種情報を表示する。
【００４８】
また、表示部３５は、カラー表示する表示部であってもよく、モノクロ表示するものであってもよい。表示部３５がカラー表示する表示部である場合は、視認性が良く高級感もあるが、表示部材が高価であり消費電力が大きい。このため、ワイヤーレスとして使用することが多い操作端末１４に、カラー表示する表示部３５を使用した場合は、電池容量の低下が早いため、例えば携帯電話端末のように充電システムが必要になる。一方、表示部３５がモノクロ表示する表示部である場合は、カラー表示する表示部を表示部３５に用いる場合と比べて消費電力を抑えられるため、充電式ではない乾電池で対応することが可能であるが、視認性は低くなる。
【００４９】
なお、表示部３５に表示する内容は、テレビおよびビデオ動画のようなストリーム画像であってもよく、また一定間隔で更新される静止画像であってもよい。
【００５０】
また、操作端末１４は、空気調和機１０専用のものでなくても、操作端末制御部３２、操作部３１、操作端末通信部３３、操作端末画像処理部３４および表示部３５として使用できる機能を備えており、室内機１１の室内機通信部２３と通信できればよい。例えば、操作端末１４は、テレビとテレビ用のリモートコントローラーの組み合わせ、または携帯電話端末といった機器によって構成されてもよい。
【００５１】
一般的な携帯電話端末であれば、ボタン式またはタッチパネル式の操作部、表示部、表示のための画像処理部および通信部は必ず搭載されている。通信部については、多くの携帯電話端末に赤外線通信、Ｂｌｕｅｔｏｏｔｈ（登録商標）通信または無線ＬＡＮ通信の機能が搭載されている。したがって、室内機１１の室内機通信部２３をこれらの通信に対応させることで携帯電話端末を操作端末１４として使用することができる。
【００５２】
また、テレビとテレビ用のリモートコントローラーについても、一般的なテレビは表示部と画像処理部を備えており、リモートコントローラーは操作部と通信部を備えている。したがって、テレビとテレビ用のリモートコントローラーも、携帯電話端末と同様に空気調和機１０の操作端末１４の機能を実現することができる。
【００５３】
また、操作端末制御部３２は、例えば、図５に示したハードウェア構成の処理回路として実現される。操作端末制御部３２が図５に示す処理回路により実現される場合、操作端末制御部３２は、例えば、図５に示すメモリ１０２に記憶されたプログラムをプロセッサ１０１が実行することにより、実現される。また、複数のプロセッサおよび複数のメモリが連携して上記機能を実現してもよい。また、操作端末制御部３２の機能のうちの一部を電子回路として実装し、他の部分をプロセッサ１０１およびメモリ１０２を用いて実現するようにしてもよい。
【００５４】
また、操作端末通信部３３および操作端末画像処理部３４のうちの１つ以上を、同様にメモリ１０２に記憶されたプログラムをプロセッサ１０１が実行することにより、実現されるように構成してもよい。また、操作端末通信部３３および操作端末画像処理部３４のうちの１つ以上を実現するためのプロセッサおよびメモリは、操作端末制御部３２を実現するプロセッサおよびメモリと同一であってもよいし、別のプロセッサおよびメモリであってもよい。
【００５５】
つぎに、空気調和機１０の動作について説明する。室内機１１において、撮像部２１が室内を撮像する。室内機画像処理部２２は、撮像部２１が撮像した室内画像から室内環境を把握するために必要な情報を検出する画像処理を行って、室内画像の情報を生成する。また、室内機画像処理部２２は、空調制御部２４より取得した制御情報から、実気流情報を生成する。室内機画像処理部２２が処理した室内画像の情報および実気流情報は、空調制御部２４に送信され、また室内機通信部２３から操作端末１４の操作端末通信部３３に送信される。また、空調制御部２４は、室内機通信部２３から受信した操作端末１４の操作情報、室内機画像処理部２２から送信される情報に基づいて、気流の温度、気流の強さおよび方向といった空気調和運転の設定を制御する。
【００５６】
また、特殊運転制御決定部２６は特殊運転制御を実施すると決定した場合に、特殊運転制御の実施を指示する特殊運転制御指示情報とともに、実施する特殊運転制御に対応する特殊運転制御情報を空調制御部２４に送信する。空調制御部２４は、特殊運転制御決定部２６から送信される特殊運転制御指示情報に基づいて、気流の温度、気流の強さおよび方向といった空気調和運転の設定を制御する。さらに、空調制御部２４は、特殊運転制御情報を室内機通信部２３から操作端末１４の操作端末通信部３３に送信させる制御を行う。
【００５７】
操作端末１４では、ユーザーが操作部３１を操作することで、空気調和機１０の運転を設定する運転設定情報が設定される。操作部３１で設定された運転設定情報は、操作端末制御部３２を介して操作端末画像処理部３４に送信される。また、操作端末１４に設けられた操作端末通信部３３は、室内機通信部２３から送信された情報を受信し、操作端末画像処理部３４に送信する。操作端末画像処理部３４は、室内機通信部２３から送信された室内画像の情報および特殊運転制御情報と、気流情報とを合成し、ユーザーに表示させるために可視化する。表示部３５は、操作端末画像処理部３４で処理された画像を表示する。気流情報には、実気流情報と設定気流情報と、が含まれる。
【００５８】
図６は、本発明の実施の形態１にかかる操作端末１４の操作端末画像処理部３４の動作を示すフローチャートである。上述した操作部３１が受け付けた運転設定情報、すなわちユーザーからの空気調和機１０の運転についての指示情報は、操作端末画像処理部３４にも出力される。
【００５９】
ステップＳ３０１において操作端末画像処理部３４は、操作部３１が受け付けた運転設定情報と、操作端末通信部３３が受信した、実気流情報と室内画像の情報と特殊運転制御情報との情報を取得する。
【００６０】
つぎに、ステップＳ３０２において操作端末画像処理部３４は、気流情報と、室内画像と、特殊運転制御情報とを合成して表示部３５に表示するための表示画像を生成する処理を行う。すなわち、操作端末画像処理部３４は、気流情報と室内画像の情報と特殊運転制御情報とを合成する合成処理を行って、気流情報と室内画像の情報と特殊運転制御情報とが合成された合成画像情報を生成する。合成画像情報は、気流情報と、室内画像と、特殊運転制御情報とを表示部３５に表示するための画像データである
【００６１】
そして、ステップＳ３０３においてに操作端末画像処理部３４は、画像処理結果である合成画像情報を表示部３５に送信する。
【００６２】
図７は、本発明の実施の形態１にかかる操作端末１４における表示部３５ａに室内画像と気流情報と特殊運転制御情報とを合成した合成画像を表示した図である。図７に示す表示部３５ａは、上述した操作部３１の機能と表示部３５の機能とを兼ね備えたタッチパネル式の表示部である。合成画像は、合成画像情報に基づいて表示部３５ａに表示されている。
【００６３】
図７においては、矢印の向きは室内における気流の向きを表し、矢印の長さは室内における気流の強さを表している。また、図７において、破線の矢印４３は、ユーザーが空気調和機１０に設定している設定気流情報を表すアイコンである。図７において、実線の矢印４４は、室内における実際の気流の実気流情報を表すアイコンである。なお、図７に示した合成画像は、操作端末１４における表示部３５ａに表示される合成画像の一例である。
【００６４】
表示部３５ａには、例えば、矢印の太さで気流の強さを表してもよく、スイング気流をアニメーションで表してもよく、ユーザーが設定している気流の設定気流情報と実際の気流の実気流情報とを矢印の色によって分けて表してもよい。スイング気流は、室内機１１から室内に吹き出す気流の向きを順次変化させる設定の場合に室内機１１から室内に吹き出す気流である。
【００６５】
図７においては、暖房起動時の冷風防止制御状態にあり、特殊運転制御情報として、表示部３５ａに「暖房準備中」のメッセージが表示されている。また、図７においては、ユーザーが空気調和機１０に設定している設定気流情報は、室内機１１から見た向きが斜め左側であり、且つ気流の強さが強くなっている。一方、図７においては、実際の気流の実気流情報を表すアイコンは、室内機１１から見た向きが正面側であり、且つユーザーが空気調和機１０に設定している設定気流情報を表すアイコンよりも気流の強さが弱くなっている。
【００６６】
また、図７においては、特殊運転制御情報の他にも、空気調和機１０の発停、すなわち運転および停止の状態と、暖房、冷房、除湿、送風といった運転モードと、設定温度と、を操作するためのタッチパネル上の操作ボタン４１が表示部３５ａに表示されている。ユーザーは、これらのボタンをタップすることで設定を変更することができる。
【００６７】
また、図７において操作端末１４の下側に配置された操作部４２は物理ボタンであり、表示部３５ａに画面表示されているアプリケーション画面を閉じたり、たとえば操作端末１４をスリープモードから復帰させる場合に使用される。
【００６８】
図７に示した操作端末１４の表示部３５ａの画像を見ることにより、ユーザーは、空気調和機１０が暖房起動時の冷風防止制御状態にあるため、室内における実際の気流の状態とユーザーが空気調和機１０に設定した気流の状態とが異なっていることが理解できる。
【００６９】
図８は、本発明の実施の形態１にかかる操作端末１４の表示部３５ａにおける気流の設定の変更方法の一例を示す図である。ユーザーが表示部３５ａの画面において、ユーザーが空気調和機１０に設定している設定気流情報を表すアイコンである破線の矢印４３の先端付近をドラッグアンドドロップ操作することで、破線の矢印４３のアイコンの形状もしくは大きさ、または形状および大きさの両方が変化する。図８においては、破線の矢印４３は変更前の設定気流情報を表すアイコンを示しており、破線の矢印４３ａは変更後の設定気流情報を表すアイコンを示している。
【００７０】
操作端末１４の操作端末制御部３２は、変化した後の破線の矢印４３のアイコンの形状および大きさを基に、新たな気流の設定に関する情報、すなわち新たな空気調和運転の設定の情報となる空調制御情報を算出し、操作端末１４の操作端末通信部３３および室内機１１の室内機通信部２３を介して室内機の空調制御部２４に送信する。
【００７１】
そして、前述したように空調制御部２４が、空調変更部２５に含まれる、第１風向変更部２５ａ、第２風向変更部２５ｂ、第３風向変更部２５ｃ、ファンのモーターの回転数、および熱交換器の冷媒の温度を空調制御情報に応じて変更させることで、室内機１１から室内に吹き出す気流を変更できる。空調制御情報の算出方法については特に限定されず、例えば破線の矢印４３のアイコンの始点座標および終点座標から算出する。
【００７２】
すなわち、空気調和機１０では、操作端末画像処理部３４から送信される合成画像情報が表示されたタッチパネル方式の表示部３５ａに触れることで空調設定を変更することができ、空調制御部２４は、表示部３５ａで変更された空調設定に基づいて空気調和機１０の空調制御を行うことができる。
【００７３】
図８に示す例においては、空調制御部２４が特殊運転制御中であるため、ユーザーが破線の矢印４３のアイコンを操作して気流の設定を変更した時点では実際の気流は変更されない。そして、空調制御部２４は、特殊運転制御が終了次第、表示部３５ａで変更された空調設定に基づいて、すなわち操作端末制御部３２が算出した空調制御情報に基づいて実際に室内機１１から室内に吹き出す気流を変更する制御を行う。
【００７４】
なお、説明を省略しているが、室内機１１は操作端末１４以外からもユーザー操作がなされる場合がある。このため、空調制御部２４は、操作端末１４以外からなされたユーザー操作の情報も室内機通信部２３を介して操作端末１４に送信し、操作端末１４ではこれらの情報に基づいて表示部３５に表示する画像を上書きして変化させてもよい。
【００７５】
上述したように、本実施の形態１にかかる空気調和機１０においては、空調制御部２４が特殊運転制御中である場合は、室内機１１が設置された室内の室内画像、ユーザーが空気調和機１０に設定している設定気流情報および実際に室内機１１から室内に吹き出されている気流の実気流情報とともに、特殊運転制御情報として特殊運転制御中である旨の文字情報が操作端末１４の表示部３５に表示される。このため、ユーザーは、実際に室内機１１から室内に吹き出されている気流の実気流情報に加えて、特殊運転制御が行われていることの情報も把握することができ、操作端末１４の表示部３５に表示されている現在の気流の強さが、特殊運転制御によってもたらされていることを把握することができる。これにより、ユーザーは、現在が特殊運転制御中であることを理解でき、現在が特殊運転制御中であることを考慮して、表示部３５に表示された実気流情報に基づいて最適な空気調和を設定できる。
【００７６】
また、空気調和機１０においては、気流情報として設定気流情報および実気流情報が操作端末１４の表示部３５に表示されるため、ユーザーは、現在の実際の気流と設定気流情報で設定されている気流との違いを視覚的に理解することができる。
【００７７】
また、空調制御部２４は、特殊運転制御中にユーザーが気流の設定を変更した場合には、ユーザーが気流の設定を変更した時点では実際に室内機１１から室内に吹き出す気流を変更する制御は行わない。そして、空調制御部２４は、特殊運転制御が終了次第、実際の気流を変更する制御を行う。すなわち、特殊運転制御中においては、ユーザーが気流の設定を変更しても実際の気流は変更されない。このため、空気調和機１０は、特殊運転制御中にユーザーが気流の設定を変更しても、ユーザーが不快に感じる気流を室内に吹き出すことが防止され、快適な空調設定が可能である。
【００７８】
実施の形態２．
上述した実施の形態１では、室内において操作端末１４を操作する場合について示したが、実施の形態２では宅外にある操作端末１４ａを操作することによって、上述した実施の形態１にかかる空気調和機の効果が得られる空気調和機システムについて説明する。図９は、本発明の実施の形態２にかかる空気調和機システム５０の構成を示す構成図である。図１０は、本発明の実施の形態２にかかる空気調和機システム５０における外部サーバー５３の主な機能構成を示す機能ブロック図である。図１１は、本発明の実施の形態２にかかる空気調和機システム５０における空気調和機１０ａの室内機１１ａの主な機能構成を示す機能ブロック図である。図９においては、上述した実施の形態１に示す空気調和機１０と同じ構成については、実施の形態１の場合と同じ符号を記している。なお、図９においては、空気調和機のうち室内機１１ａおよび操作端末１４ａ以外の構成の図示を省略している。
【００７９】
本発明の実施の形態２にかかる空気調和機システム５０は、空気調和機１０ａ、宅内に配置されたインターネットルーター５１、および住宅の外部に配置された外部サーバー５３を備えている。空気調和機１０ａは、室内機１１ａ、室外機１２および操作端末１４ａを備える。インターネットルーター５１と空気調和機１０ａの室内機１１ａとは、一例として無線通信によって接続される。
【００８０】
無線通信については、無線ＬＡＮ通信、特定小電力通信など様々な規格があるが、本実施の形態２において無線方式の種類に限定はない。また、インターネットルーター５１と空気調和機１０ａの室内機１１ａとは、有線ＬＡＮといった有線での通信形態であってもよい。
【００８１】
本実施の形態２にかかる空気調和機システム５０は、基本的な構成として、上述した実施の形態１にかかる空気調和機１０と同じ構成を有する。したがって、空気調和機システム５０は、上述した実施の形態１にかかる空気調和機１０と同じ効果を有する。
【００８２】
本実施の形態２にかかる操作端末１４ａは、上述した実施の形態１において説明した操作端末１４の構成に加えて操作端末機器制御部３６を備え、インターネット５２との通信機能を備えている。本実施の形態２にかかる操作端末１４ａは、インターネット５２上に接続した外部サーバー５３を介して宅内の室内機１１ａと通信可能であり、室内機１１ａを遠隔制御することができる。操作端末１４ａには、一例として携帯電話端末を用いることができる。携帯電話端末は、携帯電話の通信方式または公共無線通信を使用してインターネット５２に接続した外部サーバー５３にアクセスすることが可能である。
【００８３】
外部サーバー５３は、インターネット５２を介してインターネットルーター５１と接続されており、室内機１１ａにおいて生成された情報または保持された情報、および操作端末１４ａで受け付けた操作情報といった空気調和機１０ａの運転制御に用いられる情報を収集し、保持する。室内機１１ａにおいて生成された情報または保持された情報は、室内機１１ａで生成された情報または用いられている情報であり、室内の画像データ、気流情報、特殊運転制御情報、動作情報、個体識別情報といった情報である。動作情報は、発停、運転モードおよび設定温度といった情報が例示される。個体識別情報は、ＭＡＣアドレス（Ｍｅｄｉａ  Ａｃｃｅｓｓ  Ｃｏｎｔｒｏｌ  ａｄｄｒｅｓｓ）および製造番号といった情報が例示される。外部サーバー５３における上記の情報の保持方法は、特に限定されない。外部サーバー５３は、例えば室内機１１ａおよび操作端末１４ａから受信した最新情報をテーブルとしてデータベースに保持する。
【００８４】
外部サーバー５３は、主たる機能として、テーブル６１と、機器制御部６２と、インターネット５２を介して操作端末１４ａまたは室内機１１ａとの間で情報を送受信するサーバー通信部６３とを有して構成されている。
【００８５】
テーブル６１では、例えば室内機１１ａの情報および操作端末１４ａの操作情報が室内機１１ａの個体と対応付けて管理されている。テーブル６１に記憶されている情報は、新たな情報を受信する毎に最新の状態に更新される。なお、外部サーバー５３が室内機１１ａから情報を収集して管理する構成例は、図１０に示す例に限定されるものではない。
【００８６】
本実施の形態２において空気調和機１０ａの室内機１１ａは、実施の形態１において説明した室内機１１の構成に加えて、室内機機器制御部２７を備える。
【００８７】
室内機機器制御部２７は、室内機通信部２３を介して一定周期で外部サーバー５３にアクセスして室内機１１ａにおいて生成された情報または保持された情報を送信するとともに、外部サーバー５３が保持している操作端末１４ａの操作情報の送信を要求する送信要求を行う。送信要求を受信した外部サーバー５３の機器制御部６２は、外部サーバー５３で保持している操作端末１４ａの操作情報を、サーバー通信部６３を介して室内機１１ａに送信する。室内機機器制御部２７は、外部サーバー５３から操作端末１４ａの操作情報を室内機通信部２３を介して受信し、空調制御部２４に送信する。空調制御部２４は、室内機機器制御部２７から受信した情報に基づいて空調運転制御を変更する。
【００８８】
図１２は、本発明の実施の形態２にかかる空気調和機システム５０における操作端末１４ａの主な機能構成を示す機能ブロック図である。本実施の形態２において操作端末１４ａは、実施の形態１において説明した操作端末１４の構成に加えて、操作端末機器制御部３６を備える。
【００８９】
操作端末機器制御部３６は、操作端末通信部３３を介して一定周期で外部サーバー５３にアクセスして操作端末１４ａの操作情報を送信するとともに、外部サーバー５３が保持している室内機１１ａにおいて生成された情報または保持された情報の送信を要求する送信要求を行う。送信要求を受信した外部サーバー５３の機器制御部６２は、外部サーバー５３で保持している室内機１１ａにおいて生成された情報または保持された情報を、サーバー通信部６３を介して操作端末１４ａに送信する。機器制御部６２が送信する情報には、実気流情報と室内の画像情報と特殊運転制御情報とが含まれている。
【００９０】
操作端末機器制御部３６は、外部サーバー５３から室内機１１ａにおいて生成された情報または保持された情報を操作端末通信部３３を介して受信し、操作端末画像処理部３４に送信する。操作端末画像処理部３４は、操作端末機器制御部３６から受信した情報および操作部３１からの操作情報に基づいて、実施の形態１の場合と同様にして、気流情報と室内の画像情報と特殊運転制御情報とを合成する合成処理を行って合成画像情報を生成し、表示部３５に送信する。なお、操作情報の送信は一定周期でなくてもよく、例えば、ユーザーが操作をしたタイミングのような任意のタイミングでもよい。また、操作端末機器制御部３６における送信要求は、例えば、表示部３５に更新ボタンを設け、ユーザーが当該ボタンをクリックしたタイミングで要求してもよい。
【００９１】
上述したように、本実施の形態２にかかる空気調和機システム５０は、上述した実施の形態１にかかる空気調和機システムと同じ効果を有する。
【００９２】
また、本実施の形態２にかかる空気調和機システム５０は、操作端末１４ａがインターネット５２との通信機能を備え、インターネット５２に接続された外部サーバー５３を介して宅内の室内機１１ａと通信を行うことができ、室内機１１ａの動作を遠隔制御することができる。これにより、ユーザーは、操作端末１４ａの表示部３５で室内の画像を見ながら、宅外から遠隔での空気調和機１０ａの空調操作ができるため、室内における子どもの位置、および室内におけるペットの位置といった宅内の室内の状況に合わせて、宅外から適切な空調設定を行うことが可能である。
【００９３】
したがって、本実施の形態２にかかる空気調和機システム５０によれば、宅外にある操作端末１４ａを操作することによって、上述した実施の形態１にかかる空気調和機の効果を得ることができる。
【００９４】
実施の形態３．
図１３は、本発明の実施の形態３にかかる空気調和機の室内機１１ｂの主な機能構成を示す機能ブロック図である。実施の形態３にかかる空気調和機は、室内機１１ｂが終了目安時刻生成部２８を備えること以外は、基本的な構成として上述した実施の形態１にかかる空気調和機１０と同じ構成を有する。したがって、実施の形態３にかかる空気調和機は、上述した実施の形態１にかかる空気調和機１０と同じ効果を有する。
【００９５】
終了目安時刻生成部２８は、空調制御部２４における特殊運転制御が終了する終了目安時刻の情報である終了目安時刻情報を生成する。終了目安時刻生成部２８は、特殊運転制御決定部２６から特殊運転制御情報を受信し、終了目安時刻情報を特殊運転制御情報と合わせて空調制御部２４に送信する。空調制御部２４は、受信した特殊運転制御情報と終了目安時刻情報とを、室内機通信部２３を介して操作端末１４の操作端末通信部３３に送信する。
【００９６】
操作端末１４においては、操作端末画像処理部３４が、気流情報と、室内の画像情報と、特殊運転制御情報と、終了目安時刻情報とを合成して表示部３５に表示するための表示画像を生成する処理を行う。すなわち、操作端末画像処理部３４は、気流情報と、室内の画像情報と、特殊運転制御情報と、終了目安時刻情報とを合成する合成処理を行って、気流情報と室内の画像情報と特殊運転制御情報と終了目安時刻情報とが合成された合成画像情報を生成する。ここでの合成画像情報は、気流情報と、室内の画像情報と、特殊運転制御情報と、終了目安時刻情報とを表示部３５に表示するための画像データである。すなわち、操作端末画像処理部３４は、室内画像と、実気流情報と、設定気流情報と、特殊運転制御情報と、終了目安時刻情報とを合成する画像処理を行って、室内画像と他の情報とが合成された合成画像情報を生成することができる。
【００９７】
終了目安時刻情報は、特殊運転制御ごとに設定される。終了目安時刻情報は、特殊運転制御の平均的な所要時刻を固定値としてあらかじめ終了目安時刻生成部２８に記憶されていてもよく、また特殊運転制御時において特殊運転制御に関連する関連情報から終了目安時刻生成部２８において算出されてもよい。関連情報は、室内機１１ｂにおける気流の吹き出し口の温度または冷媒管１３の温度といった情報が例示される。
【００９８】
図１４は、本発明の実施の形態３におけるタッチパネル式の表示部３５ａに、気流情報と室内の画像情報と特殊運転制御情報と終了目安時刻情報とが合成された合成画像情報が表示されている状態を示す図である。図１４において表示されている終了目安時刻情報は、操作端末１４の制御部において管理されている現在時刻の情報を参照して終了目安時刻生成部２８が算出した終了目安時刻が表示されている。
【００９９】
上述したように、本実施の形態３にかかる空気調和機は、終了目安時刻情報を生成する終了目安時刻生成部２８を室内機１１ｂに備え、終了目安時刻情報を表示部３５ａに表示する。これにより、本実施の形態３にかかる空気調和機は、ユーザーの設定した気流と異なる状態である特殊運転制御状態が終了する目安時刻が分かるため、ユーザーにとって待ち時刻が分かる親切な空気調和機が実現できる。また、本実施の形態３にかかる空気調和機は、特殊運転制御状態が終了する目安時刻が分かるため、ユーザーが、現在が特殊運転制御中であることをより確実に理解できるため、室内の気流がユーザーの設定した気流と異なる状態にあることを、空気調和機が故障していると誤解釈してしまうおそれを回避できるという効果も得られる。
【０１００】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【０１０１】
１０，１０ａ  空気調和機、１１，１１ａ，１１ｂ  室内機、１２  室外機、１３  冷媒管、１４，１４ａ  操作端末、２１  撮像部、２２  室内機画像処理部、２３  室内機通信部、２４  空調制御部、２５  空調変更部、２５ａ  第１風向変更部、２５ｂ  第２風向変更部、２５ｃ  第３風向変更部、２６  特殊運転制御決定部、２７  室内機機器制御部、２８  終了目安時刻生成部、３１  操作部、３２  操作端末制御部、３３  操作端末通信部、３４  操作端末画像処理部、３５，３５ａ  表示部、３６  操作端末機器制御部、４１  操作ボタン、４２  操作部、４３，４３ａ  破線の矢印、４４  実線の矢印、５０  空気調和機システム、５１  インターネットルーター、５２  インターネット、５３  外部サーバー、６１  テーブル、６２  機器制御部、６３  サーバー通信部、１０１  プロセッサ、１０２  メモリ。
【図１】
2018220820.tif 000003
【図２】
2018220820.tif 000004
【図３】
2018220820.tif 000005
【図４】
2018220820.tif 000006
【図５】
2018220820.tif 000007
【図６】
2018220820.tif 000008
【図７】
2018220820.tif 000009
【図８】
2018220820.tif 000010
【図９】
2018220820.tif 000011
【図１０】
2018220820.tif 000012
【図１１】
2018220820.tif 000013
【図１２】
2018220820.tif 000014
【図１３】
2018220820.tif 000015
【図１４】
2018220820.tif 000016
【国際調査報告】
2018220820.tif 000017
2018220820.tif 000018